(57)【特許請求の範囲】
【請求項１】
ノズルシリンダ内にノズルを出入れ可能に保持し、洗浄操作部からのオン操作信号に基づいて給水バルブを開き、洗浄水を該ノズルに導いて該ノズルを給水圧で該ノズルシリンダから押し出して先端の噴射孔から洗浄水を噴射し、人体局部を洗浄する形式の局部洗浄装置において、
前記洗浄操作部からのオン操作信号の下に、前記ノズルを前記ノズルシリンダから押し出した状態の下で該ノズルを該ノズルシリンダとともに所定回動範囲に亘って往復回動運動させることによってワイド洗浄を行う回動装置を設けるとともに、該回動装置を、非洗浄動作時においては前記ノズルが前記ノズルシリンダ内に引き込んだ状態の下で前記回動範囲から外れた待機角度位置まで該ノズルを該ノズルシリンダとともに回動させるものとなし、且つ該待機角度位置にある該ノズルの前方に位置して前記給水圧による該ノズルの前記ノズルシリンダからの押出しを阻止するストッパを設けたことを特徴とする局部洗浄装置。
【請求項２】
請求項１に記載の局部洗浄装置において、前記回動装置は、前記ノズルシリンダを回動可能に支持する軸と、該ノズルシリンダと一体回動する回転部材と、該回転部材を回転駆動する駆動モータとを有していることを特徴とする局部洗浄装置。
【請求項３】
ノズルシリンダ内にノズルを出入れ可能に保持し、洗浄操作部からのオン操作信号に基づいて給水バルブを開き、洗浄水を該ノズルに導いて該ノズルを給水圧で該ノズルシリンダから押し出して先端の噴射孔から洗浄水を噴射し、人体局部を洗浄する形式の局部洗浄装置において、
前記洗浄操作部からのオン操作信号の下に、前記ノズルシリンダを前後に往復運動させることによって該ノズルシリンダから押し出したノズルからの洗浄水の噴射位置を前後に移動させ、ワイド洗浄を行う進退装置を設けるとともに、該進退装置によるノズルシリンダの進退運動に連動して起伏し、該ノズルが後退した状態のときに起立状態となって該ノズルの給水圧による前記ノズルシリンダからの押出しを阻止するストッパを設けたことを特徴とする局部洗浄装置。
【請求項４】
請求項３に記載の局部洗浄装置において、前記進退装置は、前記ノズルシリンダを保持して進退運動する台部と、前記ストッパを伏方向に付勢するばねと、それら台部とストッパとを連結し、該台部の後退運動によって該ストッパを該ばねの付勢力に抗して起立させる連結部材とを備えたストッパの作動装置を有していることを特徴とする局部洗浄装置。
【発明の詳細な説明】
【０００１】
【発明の属する技術分野】
この発明はノズルから洗浄水を人体局部に噴射して洗浄を行う局部洗浄装置に関し、詳しくは人がいない状態でノズルから洗浄水が噴き出し続けるのを防止する手段に特徴を有するものに関する。
【０００２】
【従来の技術】
ノズルシリンダ内にノズルを出入れ可能に保持し、洗浄操作部からのオン操作信号に基づいて給水バルブを開き、洗浄水をそのノズルに導いてノズルを給水圧でノズルシリンダから押し出し、先端の噴射孔から洗浄水を噴射して人体局部を洗浄する形式の局部洗浄装置が従来公知である。
【０００３】
【発明が解決しようとする課題】
ところでこの局部洗浄装置の場合、給水バルブの駆動回路上のスイッチング素子が故障する場合があり、この場合ノズルからは洗浄水が長時間噴射し続けて便器周りの床を濡らしてしまう問題があり、特にトイレが２階にあるような場合において、そのトイレの床が防水構造となっていない場合、１階の天井までも濡らしてしまう恐れがあった。
【０００４】
【課題を解決するための手段】
本願の発明の局部洗浄装置はこのような課題を解決するために案出されたものである。
而して請求項１のものは、ノズルシリンダ内にノズルを出入れ可能に保持し、洗浄操作部からのオン操作信号に基づいて給水バルブを開き、洗浄水を該ノズルに導いて該ノズルを給水圧で該ノズルシリンダから押し出して先端の噴射孔から洗浄水を噴射し、人体局部を洗浄する形式の局部洗浄装置において、前記洗浄操作部からのオン操作信号の下に、前記ノズルを前記ノズルシリンダから押し出した状態の下で該ノズルを該ノズルシリンダとともに所定回動範囲に亘って往復回動運動させることによってワイド洗浄を行う回動装置を設けるとともに、該回動装置を、非洗浄動作時においては前記ノズルが前記ノズルシリンダ内に引き込んだ状態の下で前記回動範囲から外れた待機角度位置まで該ノズルを該ノズルシリンダとともに回動させるものとなし、且つ該待機角度位置にある該ノズルの前方に位置して前記給水圧による該ノズルの前記ノズルシリンダからの押出しを阻止するストッパを設けたことを特徴とする。
【０００５】
請求項２のものは、請求項１に記載の局部洗浄装置において、前記回動装置は、前記ノズルシリンダを回動可能に支持する軸と、該ノズルシリンダと一体回動する回転部材と、該回転部材を回転駆動する駆動モータとを有していることを特徴とする。
【０００６】
請求項３のものは、ノズルシリンダ内にノズルを出入れ可能に保持し、洗浄操作部からのオン操作信号に基づいて給水バルブを開き、洗浄水を該ノズルに導いて該ノズルを給水圧で該ノズルシリンダから押し出して先端の噴射孔から洗浄水を噴射し、人体局部を洗浄する形式の局部洗浄装置において、前記洗浄操作部からのオン操作信号の下に、前記ノズルシリンダを前後に往復運動させることによって該ノズルシリンダから押し出したノズルからの洗浄水の噴射位置を前後に移動させ、ワイド洗浄を行う進退装置を設けるとともに、該進退装置によるノズルシリンダの進退運動に連動して起伏し、該ノズルが後退した状態のときに起立状態となって該ノズルの給水圧による前記ノズルシリンダからの押出しを阻止するストッパを設けたことを特徴とする。
【０００７】
請求項４のものは、請求項３に記載の局部洗浄装置において、前記進退装置は、前記ノズルシリンダを保持して進退運動する台部と、前記ストッパを伏方向に付勢するばねと、それら台部とストッパとを連結し、該台部の後退運動によって該ストッパを該ばねの付勢力に抗して起立させる連結部材とを備えたストッパの作動装置を有していることを特徴とする。
【０００８】
【作用及び発明の効果】
上記のように本発明の局部洗浄装置の場合、ノズルへの洗浄水の給水圧によりノズルをノズルシリンダから押し出してその先端の噴射孔から洗浄水を噴射する。
ここにおいて本発明の局部洗浄装置は、洗浄操作部からのオン操作信号がない状態で給水バルブが開状態となったとき、ノズルシリンダからのノズルの押出運動をストッパにて阻止し、噴射孔からの噴射洗浄水をノズルシリンダに当てて便鉢内に落下させるようになしたもので、この局部洗浄装置にあっては、給水バルブが開状態のままスイッチング素子が故障するなどしてノズルから洗浄水が噴射し続けるようなことがあっても、その噴射洗浄水が便鉢の外に飛び散って床を濡らしてしまい、更には引き続く噴射水によってトイレ室からの漏水事故を引き起こしてしまうといったことを防ぐことができる。
【０００９】
請求項１に記載の局部洗浄装置は、ノズルをノズルシリンダとともに所定回動範囲に亘って往復回動運動させることによってワイド洗浄を行う回動装置を設け、そしてその回動装置を、非洗浄動作時においてはノズルをノズルシリンダ内に引き込ませた状態の下で回動範囲から外れた待機角度位置まで回動させ、その待機角度位置にあるノズルの前方に、ノズルシリンダからのノズルの給水圧による押出しを阻止するストッパを設けたもので、この局部洗浄装置においては、ワイド洗浄を行うための回動装置を有効に利用して、非洗浄動作時におけるノズルシリンダからのノズルの給水圧による押出運動をストッパによって阻止する。
従って非洗浄動作時において給水バルブが開状態のままとなり、ノズル先端の噴射孔から洗浄水が噴射し続けてもこれを便鉢内に落下させ得て、便鉢外部への噴射を良好に防止することができる。
【００１０】
ここで上記回動装置は、ノズルシリンダを回動可能に支持する軸と、ノズルシリンダと一体回動する回転部材と、これを回転駆動する駆動モータとを有するものとして構成することができる（請求項２）。
このようにすれば簡単な構造で回動装置を構成することができ、且つ洗浄動作時においてノズルを良好に所定回動範囲内において往復回動運動させることができるとともに、非洗浄動作時においてノズルを待機角度位置まで回動させ、そこに待機させることができる。
【００１１】
請求項３に記載の局部洗浄装置は、ノズルシリンダを前後に往復運動させることによって噴射位置を前後に移動させ、ワイド洗浄を行う進退装置を設けるとともに、その進退装置によるノズルシリンダの進退運動に連動して起伏し、ノズルの後退位置において起立状態となって、ノズルの給水圧によるノズルシリンダからの押出しを阻止するストッパを設けたもので、この請求項３に記載の局部洗浄装置においても、非洗浄動作時において給水バルブが開状態のままとなって噴射孔から洗浄水が噴射し続けても、これを便鉢内に落下させ得て、便鉢外部に洗浄水が噴射され続けるのを良好に防止することができる。
【００１２】
ここで上記進退装置は、ノズルシリンダを保持して進退運動する台部と、ストッパを伏方向に付勢するばねと、台部及びストッパを連結し、台部の後退運動によってストッパをばねの付勢力に抗して起立させる連結部材とを備えたものとなすことができる（請求項４）。
このようにすれば、進退装置を簡単な構造で安価に構成することができ、且つその進退装置におけるノズルシリンダの進退運動、具体的には台部の進退運動を効果的に利用してストッパを起伏させることができ、洗浄動作時において支障なく洗浄水をノズル先端の噴射孔から噴射させることができるとともに、非洗浄動作時において噴射孔からの噴射水を便鉢内に落下させ、噴射洗浄水が便鉢外部に飛散するのを良好に防止することができる。
【００１３】
【実施例】
次に本発明の実施例を図面に基づいて詳しく説明する。
図１において１０は便器、１２は便座、１４は便蓋、１６は便器１０の後部上面に載置状態に固設された洗浄タンクである。
１８は一対のノズル２０，２２の一方から洗浄水を人体局部に噴射して洗浄する局部洗浄装置で、本体ボックス２４を有しており、その内部に局部洗浄装置１８における各種機構部が内蔵されている。
【００１４】
本体ボックス２４は、便器１０の側方に突出する袖部２６を有しており、その上面に操作部２８が設けられている。
ここで操作部２８は、図４に示しているように一対のノズル２０の一方から洗浄水を噴射させるための洗浄キー３０、及び広範囲に亘って洗浄水を噴射してワイド洗浄を行うためのワイド洗浄キー３２、そしてそれらを停止させるためのストップキー３３を有している。
【００１５】
３４はトイレ室の壁Ｗに設けられた給水栓で、この給水栓３４には、給水路を分岐させるための分岐栓３６が接続されている。
そしてこの分岐栓３６から一対の給水管３８及び４０が延び出しており、それぞれが洗浄タンク１６及び局部洗浄装置１８の本体部に接続されている。
【００１６】
給水管４０からの給水は、図２に示しているように先ず局部洗浄装置１８の本体ボックス２４内部の給水路を通じて温水タンク４２に流入し、これにより温水タンク４２内部の温水を押し出してバキュームブレーカ４４，切替弁４６を経て一対のノズル２０の一方に送り出す。
【００１７】
ここでノズル２０は、通常時はノズルシリンダ２２内部に引き込んだ状態にあり、洗浄水が供給された時点でその給水圧によりノズルシリンダ２２から押し出されて、先端の噴射孔４８から洗浄水を上向きに噴射する。
【００１８】
尚、これら一対のノズル２０の一方は肛門洗浄用のものであり、また他方は女性の局部洗浄用のものである。
切替弁４６は、洗浄水の供給を一方のノズル２０から他方のノズル２０に或いはまたその逆に切り替えるものである。
【００１９】
本体ボックス２４内部の給水路上、詳しくは温水タンク４２の上流部位に、給水路の開閉を行うメインバルブ（給水バルブ）５０が設けられている。
ノズル２０からの洗浄水の噴射及び停止は、このメインバルブ５０の開弁・閉弁によって行われる。
【００２０】
図３（Ｂ）に示しているように、上記ノズル２０はノズルシリンダ２２内部に出入れ可能に保持されており、通常時は復帰ばね５２の付勢作用によりノズルシリンダ２２内部に引込状態に保持されている。
このときノズル２０の先端の噴射孔４８は、ノズルシリンダ２２内部に位置している。
而してノズル２０は、洗浄水が供給されたときにその給水圧により復帰ばね５２の付勢力に抗してノズルシリンダ２２から押し出され、先端の噴射孔４８から洗浄水を噴射する。
【００２１】
図３（Ａ）に示しているように、本体ボックス２４のベースプレート５４には上向きに起立する形態の支持アーム５６が設けられていて、この支持アーム５６により、ノズルシリンダ２２が軸５８を介して回転可能に支持されている。
【００２２】
６０はノズルシリンダ２２と一体に回転するギヤ（回転部材）であり、これに噛み合う今一方のギヤ６２を介して駆動モータ６４に作動的に連結されている。
【００２３】
本例において、これら軸５８，ギヤ６０，６２，駆動モータ６４は、ノズル２０をノズルシリンダ２２とともに所定回動範囲に亘って回動させ、これにより噴射孔４８からの洗浄水を広範囲に亘って人体局部に噴射し、ワイド洗浄を行う回動装置６６を構成している。
【００２４】
ここで回動装置６６は、ワイド洗浄を行う際には所定の回動範囲αに亘ってノズル２０を、具体的にはノズルシリンダ２２を往復回動運動させる。
一方回動装置６６は、非洗浄動作時にはノズルシリンダ２２をノズル２０の引込状態で上記回動範囲αから図中下側に外れた待機角度位置へと回動させ、その待機角度位置にそれらを待機させる。
駆動モータ６４の動作が図４の制御部６８によってそのように制御されるようになっている。
【００２５】
上記ベースプレート５４の先端部は、図３（Ｂ）に示しているように断面く字状の屈曲部７０とされており、そしてその屈曲部の底部から図中左斜め上向きに傾斜した部分がストッパ７２とされていて、このストッパ７２により、ノズルシリンダ２２内部に引き込んだ状態のノズル２０が給水圧によりノズルシリンダ２２から押し出されるのを阻止するようになっている。
尚屈曲部７０の底部には、凹所７４内の水を下向きに抜くための水抜孔７６が形成されている。
【００２６】
本例の局部洗浄装置１８の場合、ワイド洗浄キー３２を選択操作すると、回動装置６６がノズル２０をノズルシリンダ２２から押し出した状態の下で図３（Ａ）の回動範囲α内でノズル２０を往復回動運動させ、噴射孔４８からの洗浄水を広範囲に亘って噴射させてワイド洗浄を行う。
【００２７】
一方ストップキー３３を操作すると、メインバブル５０の閉弁動作による給水停止によって、ノズル２０がノズルシリンダ２２内部に引き込むとともに、回動装置６６がそれらノズルシリンダ２２及びノズル２０を上記待機角度位置まで図３（Ａ）中下向きに回動させる。
【００２８】
このときベースプレート５４に設けたストッパ７２がノズル２０の前方に位置した状態となり、従って万一この状態でメインバルブ５０が開弁状態となって給水圧がノズル２０に作用したとしても、ノズル２０はストッパ７２の阻止作用によってノズルシリンダ２２から押し出されることはなく、ノズル２０に導かれ先端の噴射孔４８から噴射された洗浄水は、ノズルシリンダ２２に当たって便鉢内部に落下し、便鉢外部へと飛散することはない。
【００２９】
以上のように本例の局部洗浄装置１８にあっては、メインバルブ５０が開状態のままスイッチング素子が故障するなどしてノズル２０から洗浄水が噴射し続けるようなことがあっても、その噴射洗浄水が便鉢の外に飛び散って床を濡らしてしまい、更には引き続く噴射水によってトイレ室からの漏水事故を引き起こしてしまうのを防ぐことができる。
【００３０】
また本例の局部洗浄装置１８は、ワイド洗浄を行うための回動装置６６を有効に利用して、非洗浄動作時にノズルシリンダ２２をノズル２０とともに待機角度位置まで回動させるようにしていることから、非洗浄動作時にそれらを待機角度位置まで回動させるための装置を別途に設けなくても良く、装置を安価に構成することができる。
【００３１】
尚この例の局部洗浄装置１８において、ノズル２０を待機角度位置に位置させた状態で積極的にメインバルブ５０を開いて洗浄水をノズル２０の噴射孔４８から噴射させるようになすこともできる。
このようにすることによって、噴射孔４８の汚れを噴射孔４８からの噴射水の跳返り水によって洗浄することができる。
【００３２】
次に図５は本発明の他の実施例を示している。
この例は、ノズルシリンダ２２をノズル２０とともに前進後退運動を繰り返し行わせることによって、ノズル２０先端の噴射孔４８からの洗浄水を人体局部に広範囲に亘って噴射し、ワイド洗浄を行うようにした例である。
【００３３】
この例において進退装置７８は、ノズルシリンダ２２を保持する台部８０と、駆動モータ８２とを有しており、その駆動モータ８２側のピニオンギヤ８４と台部８０側のラックギヤ８６との噛合いに基づいて、駆動モータ８２の回転により台部８０を図５中左右方向に前進及び後退運動させるようになっている。
【００３４】
この進退装置７８は、洗浄動作時においてノズル２０がノズルシリンダ２２から押し出された状態の下で、台部８０を前進及び後退運動させることによってワイド洗浄を行うものとされている。
【００３５】
８８はノズル２０の押出しを阻止するストッパであって、軸９０の周りに回転可能に設けられているとともに、ねじりコイルばね９２によって常時伏方向に付勢されている。
９４はストッパ８８と台部８０とを連結する連結部材であって、一端側が台部８０の長孔９６に掛止されている。
【００３６】
この例の進退装置７８では、台部８０が前進運動するとストッパ８８がねじりコイルばね９２の付勢作用で伏せた状態となり、ノズルシリンダ２２の台部８０による前進運動が許容される。
台部８０はそのストッパ８８を伏せた（倒した）状態の下で前進後退運動を行い、ノズル２０からの洗浄水をワイドに噴射させる。
【００３７】
一方非洗浄時には、台部８０は図５中右方向に後退した状態となり、このときストッパ８８は台部８０の後退運動によってねじりコイルばね９２の付勢力に抗して斜めに起立した状態となる。
従ってこの状態でノズル２０に給水圧が導かれても、ノズル２０はストッパ８８の阻止作用でノズルシリンダ２２から押し出されることはない。
【００３８】
従ってこの状態では、ノズル２０に導かれた洗浄水は上記図３に示す実施例と同様に先端の噴射孔４８からノズルシリンダ２２内部に噴射され、そのまま便鉢の外部に飛散することなく便鉢内部に落下する。
本例において、台部８０，ねじりコイルばね９２及び連結部材９４はストッパ８８の作動装置を構成している。
【００３９】
本例においても、非洗浄動作時においてメインバルブ５０が開状態のままとなって噴射孔４８から洗浄水が噴射し続けても、これを便鉢内に落下させ得て、便鉢外部に洗浄水が噴射され続けるのを良好に防止することができる。
【００４０】
またワイド洗浄を行うための進退装置７８を有効に利用してストッパ８８を働かせるようにしているため、装置を簡単な構造で安価に構成することがでる。
尚、本例においてもノズル２０をノズルシリンダ２２に引き込ませた状態の下で積極的にメインバルブ５０を開くことにより、ノズル２０先端の噴射孔４８の洗浄を行うことができる。
【００４１】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である局部洗浄装置を便器とともに示す図である。
【図２】  同じ実施例の局部洗浄装置の要部を拡大して示す図である。
【図３】  同じ実施例の局部洗浄装置の他の要部を拡大して示す図である。
【図４】  同じ実施例の局部洗浄装置の制御系統を示すブロック図である。
【図５】  本発明の他の実施例の要部を示す図である。
【符号の説明】
１８  局部洗浄装置
２０  ノズル
２２  ノズルシリンダ
２８  操作部
４８  噴射孔
５０  メインバルブ（給水バルブ）
５８  軸
６０  ギヤ（回転部材）
６４  駆動モータ
６６  回動装置
７２，８８  ストッパ
７８  進退装置
８０  台部
９２  ねじりコイルばね
９４  連結部材
α   回動範囲
【図１】
0003833402.tif 000002
【図２】
0003833402.tif 000003
【図３】
0003833402.tif 000004
【図４】
0003833402.tif 000005
【図５】
0003833402.tif 000006